(57)【要約】      （修正有）【課題】ユーザからの画像提供を促進することでサーバ内に保有する施設情報を充実させることが可能なサーバ及び情報端末を提供する。【解決手段】サーバは、少なくとも１つの施設の位置情報を含む施設情報を記憶する記憶部と、情報端末の位置を示す位置情報を取得し、少なくとも１つの施設のうち情報端末の周辺に位置する周辺施設の施設リストを生成するリスト生成部と、施設リストを情報端末に送信する送信部と、周辺施設のいずれかの画像を情報端末から受信し得る受信部と、を有する。記憶部は、受信部が受信した受信画像を周辺施設のうちの対象施設の施設画像として記憶する。【選択図】図１
2018018299.tif 000002
【特許請求の範囲】
【請求項１】
少なくとも１つの施設の位置情報を含む施設情報を記憶する記憶部と、
情報端末の位置を示す位置情報を取得し、前記少なくとも１つの施設のうち前記情報端末の周辺に位置する周辺施設の施設リストを生成するリスト生成部と、
前記施設リストを前記情報端末に送信する送信部と、
前記周辺施設のいずれかの画像を前記情報端末から受信し得る受信部と、を有し、
前記記憶部は、前記受信部によって受信された受信画像を前記周辺施設のうちの対象施設の施設画像として記憶することを特徴とするサーバ。
【請求項２】
前記記憶部に前記対象施設の施設画像が既記憶画像として記憶されている場合に、前記受信画像及び前記既記憶画像の撮影日時に基づいて、前記受信画像を前記対象施設の施設画像として更新するか否かを判定する画像判定部を有することを特徴とする請求項１に記載のサーバ。
【請求項３】
前記記憶部には、前記施設情報として、前記少なくとも１つの施設の各々の属性情報が記憶され、
前記リスト生成部は、前記周辺施設の各々の属性情報を含む前記施設リストを生成することを特徴とする請求項１又は２に記載のサーバ。
【請求項４】
前記記憶部には、前記施設情報として、前記少なくとも１つの施設について、前記情報端末からの画像の送信に対して前記情報端末にインセンティブ情報を提示する施設であるか否かを示す情報が記憶され、
前記リスト生成部は、前記周辺施設について前記インセンティブ情報を提示する施設であるか否かを示す情報を含む前記施設リストを生成することを特徴とする請求項１乃至３のいずれか１つに記載のサーバ。
【請求項５】
情報端末であって、
前記情報端末の現在地を示す位置情報をサーバに送信する送信部と、
前記情報端末の周辺に位置する少なくとも１つの周辺施設の施設リストを前記サーバから受信する受信部と、
前記施設リストをユーザに表示する表示部と、
前記少なくとも１つの周辺施設のいずれかに対応し、前記ユーザによって選択又は撮影された画像を含む画像データを生成する画像データ生成部と、を有し、
前記送信部は、前記画像データを前記サーバに送信することを特徴とする情報端末。
【請求項６】
前記情報端末の周辺を撮影する撮像部を有し、
前記画像データ生成部は、前記画像データの生成に際し、前記ユーザに前記撮像部によって前記少なくとも１つの周辺施設のいずれかを撮影させることを特徴とする請求項５に記載の情報端末。
【請求項７】
少なくとも１つの画像を記憶する記憶部を有し、
前記画像データ生成部は、前記画像データの生成に際し、前記ユーザに前記記憶部内の前記少なくとも１つの画像から前記少なくとも１つの周辺施設のいずれかの画像を選択させることを特徴とする請求項５に記載の情報端末。
【請求項８】
前記記憶部には前記画像データが記憶され、
前記画像データ生成部は、前記情報端末が前記画像データの送信後に前記少なくとも１つの周辺施設のいずれかの周辺に位置した場合、前記記憶部から前記画像データを読み出して前記表示部に表示させることを特徴とする請求項７に記載の情報端末。
【請求項９】
通信装置及び端末装置からなる情報端末であって、
前記通信装置は、前記端末装置の現在地を示す位置情報をサーバに送信する送信部と、前記端末装置の周辺に位置する少なくとも１つの周辺施設の施設リストを前記サーバから受信する受信部と、を有し、
前記端末装置は、前記施設リストをユーザに表示する表示部と、前記少なくとも１つの周辺施設のいずれかに対応し、前記ユーザによって選択又は撮影された画像を含む画像データを生成する画像データ生成部と、を有し、
前記通信装置の前記送信部は、前記画像データを前記サーバに送信することを特徴とする情報端末。
【発明の詳細な説明】
【技術分野】
【０００１】
本発明は、サーバ及び情報端末に関する。
【背景技術】
【０００２】
従来から、端末がクライアントとなってサーバとの間で通信を行い、端末を介して送信されたユーザからの種々の情報をサーバ上に蓄積し、サーバから受信された種々の情報が端末を介してユーザに提供されるといった情報管理手法が知られている。例えば、特許文献１には、カメラを含む車載器と情報サーバとを含み、車両の外部を撮影した画像を用いて道路状況を管理する道路状況管理システムが開示されている。
【先行技術文献】
【特許文献】
【０００３】
【特許文献１】国際公開第２０１１／１０８０５２号
【発明の概要】
【発明が解決しようとする課題】
【０００４】
例えば飲食店や建物、道路などの施設（ＰＯＩ：Point Of Interest）情報を明確にユーザに提供（発信）することを考慮すると、当該施設情報には、施設の位置や名称だけでなく、画像が含まれることが好ましい。また、多くの施設情報をユーザに提供することを考慮すると、サーバ上には多くの画像が格納されていることが好ましい。また、そのためには、ユーザが所有する画像がより多くサーバに提供されることが好ましい。
【０００５】
本発明は上記した点に鑑みてなされたものであり、ユーザからの画像提供を促進することでサーバ内に保有する施設情報を充実させることが可能なサーバ及び情報端末を提供することを課題の１つとしている。
【課題を解決するための手段】
【０００６】
請求項１に記載の発明は、少なくとも１つの施設の位置情報を含む施設情報を記憶する記憶部と、情報端末の位置を示す位置情報を取得し、少なくとも１つの施設のうち情報端末の周辺に位置する周辺施設の施設リストを生成するリスト生成部と、施設リストを情報端末に送信する送信部と、周辺施設のいずれかの画像を情報端末から受信し得る受信部と、を有し、記憶部は、受信部によって受信された受信画像を周辺施設のうちの対象施設の施設画像として記憶することを特徴としている。
【０００７】
請求項５に記載の発明は、情報端末であって、情報端末の現在地を示す位置情報をサーバに送信する送信部と、情報端末の周辺に位置する少なくとも１つの周辺施設の施設リストをサーバから受信する受信部と、施設リストをユーザに表示する表示部と、少なくとも１つの周辺施設のいずれかに対応し、ユーザによって選択又は撮影された画像を含む画像データを生成する画像データ生成部と、を有し、送信部は、画像データをサーバに送信することを特徴としている。
【０００８】
請求項９に記載の発明は、通信装置及び端末装置からなる情報端末であって、通信装置は、端末装置の現在地を示す位置情報をサーバに送信する送信部と、端末装置の周辺に位置する少なくとも１つの周辺施設の施設リストを前記サーバから受信する受信部と、を有し、端末装置は、施設リストをユーザに表示する表示部と、少なくとも１つの周辺施設のいずれかに対応し、ユーザによって選択又は撮影された画像を含む画像データを生成する画像データ生成部と、を有し、通信装置の送信部は、画像データをサーバに送信することを特徴としている。
【図面の簡単な説明】
【０００９】
【図１】実施例１に係るサーバ及び情報端末の構成を示すブロック図である。
【図２】実施例１に係るサーバによる動作フローを示す図である。
【図３】実施例１に係る情報端末における動作フローを示す図である。
【図４】実施例１に係る情報端末に表示された対象施設リストを模式的に示す図である。
【図５】実施例１に係る情報端末による動作フローを示す図である。
【図６】実施例２に係るサーバ及び情報端末の構成を示す図である。
【発明を実施するための形態】
【００１０】
以下に本発明の実施例について詳細に説明する。
【実施例１】
【００１１】
図１は、実施例１に係るサーバ１０及び情報端末２０の構成を示すブロック図である。例えば、情報端末２０は、ユーザが操作するスマートフォン、タブレット又はパーソナルコンピュータである。なお、例えば、情報端末２０は、カーナビゲーションシステムなどに含まれるナビゲーション端末であってもよい。情報端末２０は、サーバ１０に対してクライアントとして機能する。サーバ１０及び情報端末２０は、通信ネットワークを介して互いに接続されている。
【００１２】
サーバ１０は、各種の施設情報を記憶する記憶部１１、情報端末２０からのデータを受信する受信部１２及び情報端末２０にデータを送信する送信部１３を有する。また、サーバ１０は、情報端末２０に送信する施設リストを生成するリスト生成部１４及び情報端末２０から受信した画像の施設画像としての記憶可否を判定する画像判定部１５を有する。なお、例えば、サーバ１０は、ＣＰＵ、メモリ及び通信モジュールなどを含む電子ユニットである。
【００１３】
記憶部１１には、少なくとも１つの施設（ＰＯＩ：Point Of Interest）に関する施設情報がデータベースとして記憶されている。図１の記憶部１１のブロック内に、記憶部１１が記憶する施設情報の一部を模式的に示す。図１に示すように、記憶部１１内には、当該施設情報として、施設の名称、属性（例えばジャンルやブランドなど）、位置、施設画像の有無が施設毎に紐づけられて記憶されている。さらに、当該施設情報には、ユーザからの画像提供に対してユーザ（情報端末２０）に与えられるインセンティブの有無が含まれる。当該インセンティブとは、施設が飲食店である場合に、当該施設の画像が情報端末２０から送信された場合にユーザに提供される飲食店のクーポンである。
【００１４】
サーバ１０の受信部１２は、情報端末２０から情報端末２０の位置を示す位置情報を受信する。リスト生成部１４は、情報端末２０の位置情報を取得し、情報端末２０の周辺に位置する施設（周辺施設）をリスト化した施設リストを生成する。送信部１３は、リスト生成部１４が生成した施設リストを情報端末２０に送信する。受信部１２は、情報端末２０から、施設リスト中の施設に関する画像を受信し得る。画像判定部１５は、記憶部１１内の施設画像との比較を行い、受信部１２が受信した受信画像が施設画像として記憶部１１に記憶される画像であるか否かを判定する。
【００１５】
次に、情報端末２０の構成について説明する。情報端末２０は、例えばスマートフォンである。情報端末２０は、サーバ１０に各種データを送信する送信部２１、サーバ１０から各種データを受信する受信部２２及び情報端末２０の周辺を撮像（撮影）する撮像部２３を有する。また、情報端末２０は、撮像部２３によって撮像された画像を記憶する記憶部２４、情報端末２０の現在地を示す情報を取得する現在地情報取得部２５及びサーバ１０に送信する画像データを生成する画像データ生成部２６を有する。撮像部２３は、例えばカメラである。
【００１６】
また、情報端末２０は、ユーザの操作部や情報出力部を構成するユーザインターフェース部（以下、ＵＩ部と称する）２７を有する。本実施例においては、ＵＩ部２７は、タッチパネル式のディスプレイ２７Ａと、スピーカ２７Ｂとを有する。ディスプレイ２７Ａは、ユーザからの操作入力の受付、ユーザへの各種処理情報の表示を行う。また、スピーカ２７Ｂは、サーバ１０からの各種処理情報の音声出力を行う。なお、ＵＩ部２７は、ディスプレイ２７Ａ及びスピーカ２７Ｂの他、ユーザの操作入力部としてキーボードを有していてもよい。
【００１７】
情報端末２０は、ＵＩ部２７のユーザの操作によって各処理部が情報処理を行い、また、サーバ１０との通信を行う。また、情報端末２０は、ＵＩ部２７を介してサーバ１０からの各種情報をユーザに提供する。また、ＵＩ部２７を含む情報端末２０の各部の動作は、制御部（図示せず）によって制御される。
【００１８】
情報端末２０の送信部２１は、情報端末２０の現在地を示す位置情報をサーバ１０に送信する。受信部２２は、サーバ１０から現在地周辺の施設リストを受信する。ＵＩ部２７のディスプレイ２７Ａは、受信部２２が受信した施設リストを表示する。画像データ生成部２６は、ユーザが選択又は撮影した画像を含む施設リスト中の施設に関する画像データを生成する。送信部２１は、画像データ生成部２６が生成した画像データをサーバ１０に送信する。また、ディスプレイ２７Ａは、送信した画像の施設周辺に情報端末２０が近づいた場合に当該送信画像を表示する。
【００１９】
図２は、サーバ１０の動作フローを示す図である。図２を用いて、サーバ１０が情報端末２０から画像の提供を受けて、サーバ１０内の施設情報に画像情報を記憶（付与）するフローについて説明する。まず、リスト生成部１４は、情報端末２０の位置を示す位置情報を取得する（ステップＳ１１）。本実施例においては、サーバ１０の受信部１１が情報端末２０から情報端末２０の位置情報（情報端末２０の現在地情報）を受信する。リスト生成部１４は、受信部１１から情報端末２０の位置情報を取得する。
【００２０】
なお、リスト生成部１４は、情報端末２０の位置情報を受信部１１から取得する場合に限定されない。すなわち、情報端末２０の位置情報は、受信部１１が情報端末２０から直接的に受信することでリスト生成部１４に供給される場合に限定されない。リスト生成部１４は、例えば、他の端末又は情報端末２０を収容している基地局などから間接的に情報端末２０の位置情報を取得してもよい。すなわち、リスト生成部１４は、情報端末２０の位置情報を取得すればよい。
【００２１】
次に、リスト生成部１４は、情報端末２０の周辺に位置する周辺施設の施設情報を示す施設リスト（画像記憶対象施設リスト）を生成する（ステップＳ１２）。具体的には、サーバ１０の記憶部１１は、少なくとも１つの施設の施設名及び施設位置を含む施設情報を記憶している。リスト生成部１４は、記憶部１１内に記憶された少なくとも１つの施設から、情報端末２０の周辺に位置する周辺施設を抽出してリスト化を行う。例えば、リスト生成部１４は、情報端末２０から所定距離未満に位置する施設を抽出する。
【００２２】
続いて、送信部１３は、リスト生成部１４が生成した周辺施設リストを情報端末２０に送信する（ステップＳ１３）。次に、受信部１２は、情報端末２０から、施設リスト中の特定の施設（以下、対象施設と称する）に関する画像を受信する（ステップＳ１４）。受信部１２には、画像と対象施設とが紐づけられたデータが受信される。
【００２３】
続いて、画像判定部１５は、受信部１２によって受信された画像（受信画像）に紐づけられた対象施設に既に画像が記憶されているか否かを判定する（ステップＳ１５）。画像判定部１５は、記憶部１１内の施設情報を参照し、受信画像に係る対象施設の施設画像として既に画像が記憶されているか否かを判定する。
【００２４】
既に対象施設の施設画像が記憶されていると判定された場合、画像判定部１５は、受信画像が既記憶画像よりも新しいか否かを判定する（ステップＳ１６）。具体的には、記憶部１１内の施設情報には、図１に示すように、既記憶画像の撮影日時が含まれる。また、受信画像、すなわち情報端末２０から送信される画像情報のデータには、画像の撮影日時が含まれる。画像判定部１５は、両者の撮影日時の比較を行い、受信画像が既記憶画像よりも新しい画像か否かを判定する。
【００２５】
画像判定部１５によって受信画像が既記憶画像よりも新しいと判定された場合、記憶部１１には、受信画像が対象施設の施設画像として更新記憶される（ステップＳ１７）。記憶部１１が受信画像を記憶した後、サーバ１０のリスト送信動作及び記憶動作は終了する。
【００２６】
一方、画像判定部１５によって対象施設の画像が記憶されていないと判定された場合、記憶部１１は、受信画像を対象施設の施設画像として記憶する（ステップＳ１７に進む）。また、画像判定部１５は、受信画像が既記憶画像よりも古いと判定した場合、画像判定部１５は、受信画像を破棄する（ステップＳ１８）。画像判定部１５が受信画像を破棄した後、サーバ１０はリスト送信動作及び記憶動作を終了する。
【００２７】
このように、本実施例においては、画像判定部１５は、記憶部１１に対象施設の施設画像が既記憶画像として記憶されている場合に、受信画像及び既記憶画像の撮影日時に基づいて、受信画像を対象施設の施設画像として更新するか否かを判定する。
【００２８】
図３は、情報端末２０の動作フローを示す図である。図３を用いて、ユーザがサーバ１０に画像を提供するための情報端末２０の画像提供支援動作について説明する。まず、本実施例においては、情報端末２０の現在地情報取得部２５は、情報端末２０の現在地を示す位置情報を取得する（ステップＳ２１）。現在地情報取得部２５は、例えばＧＰＳ（Global Positioning System）を用いて、情報端末２０の位置情報（緯度情報及び経度情報など）を取得する。
【００２９】
次に、送信部２１は、情報端末２０の現在地を示す位置情報をサーバ１０に送信する（ステップＳ２２）。続いて、受信部２２は、サーバ１０から情報端末２０の現在地の周辺に位置する周辺施設の施設リストを受信する（ステップＳ２３）。次に、ディスプレイ２７Ａは、表示部として、受信部２２によって受信された施設リストをユーザに表示する（ステップＳ２４）。
【００３０】
次に、画像データ生成部２６は、ユーザに情報端末２０内の対象施設（周辺施設のいずれか）に関する画像を選択させるか、又は対象施設を撮影させる（ステップＳ２５）。具体的には、画像データ生成部２６は、画像データを生成するために、ユーザに対し、ＵＩ部２７を操作させて記憶部２４内の対象施設の画像を選択させるか、撮像部２３を起動させて対象施設を撮影させる。本実施例においては、画像データ生成部２６は、ＵＩ部２７を制御し、ユーザに対し、画像を選択するか又は撮影するかを選択させる。
【００３１】
続いて、画像データ生成部２６は、周辺施設のいずれかに対応し、ユーザによって選択された画像（選択画像）又は撮影された画像（撮影画像）を含む画像データを生成する（ステップＳ２６）。画像データ生成部２６は、例えばユーザにＵＩ部２７を操作させて対象施設を選択させ、選択された施設に当該選択画像又は撮影画像が紐づけられた画像データを生成する。
【００３２】
次に、送信部２１は、画像データ生成部２６が生成した画像データをサーバ１０に送信する（ステップＳ２７）。送信部２１が画像データを送信した後、情報端末２０のサーバ１０への画像提供動作を終了する。なお、本実施例においては、画像データ生成部２６が生成した画像データは、送信部２１によってサーバ１０に送信されるとともに、記憶部２４内に記憶される。
【００３３】
図４は、図３のステップＳ２４において情報端末２０のディスプレイ２７Ａに表示された施設リストを示す図である。また、図４は、図３のステップＳ２５においてユーザに画像選択又は画像撮影を選択させるためのディスプレイ２７Ａの表示画面例を示す図である。
【００３４】
図４に示すように、まず、ディスプレイ２７Ａには、サーバ１０のリスト生成部１４によって生成された情報端末２０の周辺の施設の一覧である施設リストが表示される。また、ディスプレイ２７Ａには、情報端末２０の画像データ生成部２６によって、対象施設毎に、画像を選択するか又は画像を撮影するかの指定を受け付ける表示がなされる。例えば、図４に示されたディスプレイ２７Ａの領域のうち、施設ＡＡＡＡの「画像選択」の部分をタップすると、施設ＡＡＡＡの画像として端末内の画像を選択する操作案内が行われる。また、「カメラ起動」の部分をタップすると、撮像部２７が起動し、施設ＡＡＡＡの画像を撮影する動作が開始される。
【００３５】
このように、まず、本実施例においては、サーバ１０は、情報端末２０の位置情報を取得し、情報端末２０の周辺に位置する施設を抽出した施設リストを情報端末２０に送信する。また、サーバ１０は、情報端末２０から施設リスト内の施設に関する画像を受信して記憶する。従って、情報端末２０に対して、情報端末２０の周辺に存在する施設の画像を効率よくサーバ１０に蓄積することができる。また、情報端末２０（ユーザ）の周辺の施設リストをユーザに提示することで、ユーザに対して画像の撮影又は選択を促すことができる。
【００３６】
また、サーバ１０の記憶部１１内には、情報端末２０からの画像の送信に対して情報端末２０に提示される施設利用時のクーポンの有無を示す情報が記憶されている。リスト生成部１４はこのクーポンの有無を含む施設リストを生成する。つまり、記憶部１１には、施設情報として、各施設について、情報端末２０からの画像の送信に対して情報端末２０にインセンティブ情報を提示する施設であるか否かを示す情報が記憶されている。リスト生成部１４は、周辺施設についてインセンティブ情報を提示する施設であるか否かを示す情報を含む施設リストを生成する。従って、ユーザは、クーポンが有る施設に対して画像を送信することで、当該施設から利用時にインセンティブを受け取ることができる。従って、ユーザに画像送信を促すことができる。
【００３７】
また、記憶部１１内には、施設情報として、施設の各々の属性を示す属性情報が記憶されている。リスト生成部１４は、周辺施設の各々の属性情報を含む施設リストを生成する。つまり、ユーザは、画像を送信する施設の属性、例えば飲食店や衣服店などの施設の種別をリストから把握することができる。従って、ユーザによる画像の誤選択及び誤撮影を防止することができる。なお、施設の属性としては、施設のジャンル（業種）、営業時間、面積などが挙げられる。
【００３８】
また、情報端末２０は、自身の現在地をサーバ１０に送信し、サーバ１０から受信した現在地周辺の施設リストをユーザに表示する。また、情報端末２０は、ユーザによって選択又は撮影された画像をリスト中の対象施設に対応させてサーバ１０に送信する。従って、ユーザに対して明確に画像の送信案内を行うことができ、サーバ１０への画像蓄積効率が向上する。
【００３９】
また、情報端末２０は、情報端末２０の周辺を撮影する撮像部２３を有し、画像データ生成部２６は、画像データの生成に際し、ユーザに撮像部２３によって対象施設を撮影させる。従って、最新の施設画像をサーバ１０に送信することを促し、サーバ１０の施設画像が最新なものとなる。
【００４０】
また、情報端末２０は、少なくとも１つの画像を記憶する記憶部２４を有し、画像データ生成部２６は、画像データの生成に際し、ユーザに記憶部２４内の少なくとも１つの画像から対象施設の画像を選択させる。従って、例えば、既にユーザが撮影して保存している画像をサーバ１０に送信することを促し、サーバ１０内の施設画像が効率的に蓄積されていく。
【００４１】
図５は、情報端末２０から画像を送信した後における情報端末２０の対象施設周辺での動作フローを示す図である。まず、現在地情報取得部２５は、情報端末２０の現在地を取得するとともに、情報端末２０が過去に画像を送信した施設の周辺に位置しているか否かの判定を行う（ステップＳ３１）。具体的には、現在地情報取得部２５は、記憶部２４内に記憶されている画像データから、過去に画像を送信した施設の位置情報を取得し、情報端末２０の現在地との比較を行う。そして、現在地情報取得部２５は、両者の位置が所定距離未満である場合、情報端末２０が過去に画像を送信した施設の周辺に位置する（例えば当該施設の周辺を移動中である）と判定する。
【００４２】
次に、情報端末２０が当該対象施設の周辺に位置していると判定された場合、画像データ生成部２６は、記憶部２４から過去の送信画像を読み出し、ディスプレイ２７Ａに当該送信画像を表示させる（ステップＳ３２）。すなわち、情報端末２０は、ユーザに対して過去の画像送信履歴を知らせる。なお、情報端末２０が当該対象施設の周辺にいない場合は当該判定をもって動作を終了する。
【００４３】
このように、画像データ生成部２６は、情報端末２０が画像データの送信後に周辺施設のいずれかの周辺に位置した場合、記憶部２４から画像データを読み出して表示部（ディスプレイ２７Ａ）に表示させる。つまり、情報端末２０は、過去のユーザによる施設画像の送信履歴を記憶し、再度施設周辺を通った際にはその送信画像をユーザに提供する。例えば、過去に画像を送信した施設は、情報端末２０を操作するユーザにとって関心の高い施設である可能性が高い。従って、過去の送信履歴を施設周辺でユーザに提供することで、当該施設の最新の画像を送信することをユーザに促すことができる。
【００４４】
なお、本実施例においては、サーバ１０が画像判定部１５を有する場合について説明したが、サーバ１０は画像判定部１５を有する場合に限定されない。サーバ１０は、情報端末２０から受信した画像を判定せずに記憶してもよい。
【００４５】
また、本実施例においては、サーバ１０が提供する施設リストにインセンティブ情報が含まれる場合について説明したが、施設リストの情報はインセンティブ情報を含む場合に限定されない。また、当該施設リストには属性情報が含まれていなくてもよい。施設リストには少なくとも情報端末２０の周辺の施設の施設名が含まれていればよい。
【００４６】
上記したように、本実施例においては、サーバ１０は、少なくとも１つの施設の位置情報を含む施設情報を記憶する記憶部１１と、情報端末２０の位置を示す位置情報を取得し、記憶部１１から少なくとも１つの施設のうちの情報端末２０の周辺に位置する周辺施設の施設リストを生成するリスト生成部１４と、施設リストを情報端末２０に送信する送信部１３と、情報端末２０から施設リスト内の周辺施設のいずれかの画像を受信し得る受信部１２と、を有する。従って、ユーザからの画像提供を促進することでサーバ１０内に保有する施設情報を充実させることが可能となる。
【００４７】
また、本実施例においては、情報端末２０は、情報端末２０の現在地を示す位置情報をサーバ１０に送信する送信部２１と、サーバ１０から情報端末２０の周辺の施設リストを受信する受信部２２と、ユーザに施設リストを表示する表示部（本実施例においてはディスプレイ２７Ａ）と、施設リスト内の施設（周辺施設）に対応し、ユーザによって選択又は撮影された画像を含む画像データを生成する画像データ生成部２６と、を有し、送信部２１は画像データ生成部２６が生成した画像データをサーバ１０に送信する。従って、ユーザからの画像提供を促進することでサーバ１０内に保有する施設情報を充実させることが可能となる。
【実施例２】
【００４８】
図６は、実施例２に係る情報端末３０の構成を示すブロック図である。情報端末３０は、通信装置４０及び端末装置５０からなる。情報端末３０は、実施例１の情報端末１０の通信機能が切り離された構成に相当する。
【００４９】
通信装置４０は、情報端末２０の送信部２１及び受信部２２とそれぞれ同様の構成を有する送信部４１及び受信部４２を有する。端末装置５０は、情報端末２０の撮像部２３、記憶部２４、現在地情報取得部２５、画像データ生成部２６及びＵＩ部２７とそれぞれ同様の構成を有する撮像部５１、記憶部５２、現在地情報取得部５３、画像データ生成部５４及びＵＩ部５５を有する。ＵＩ部５５は、ＵＩ部２７のディスプレイ２７Ａ及びスピーカ２７Ｂとそれぞれ同様の構成を有するディスプレイ５５Ａ及びスピーカ５５Ｂを有する。
【００５０】
本実施例においては、端末装置５０が通信機能を持たず、サーバ１０との通信は通信装置４０が行う。端末装置５０は通信装置４０に接続されている。例えば、端末装置５０は、サーバ１０との通信機能を有さないカーナビゲーションシステムである。また、例えば、通信装置４０は当該カーナビゲーションシステムに接続されたスマートフォンである。ユーザは端末装置５０を操作し、また端末装置５０によって情報の入出力を行う。
【００５１】
また、本実施例においては、サーバ１０は端末装置５０の位置情報に基づいて施設リストの生成を行う。また、通信装置４０は、端末装置５０の現在地を示す位置情報をサーバ１０に送信する。
【００５２】
本実施例のように、例えば端末自体がサーバ１０との通信機能を有さない場合でも、サーバ１０との通信を行う通信装置４０に接続されることで、サーバ１０に対して端末装置５０内の画像をサーバ１０に送信することができる。従って、実施例１の情報端末１０と同様に、端末装置５０を介したユーザからの画像提供を促進することでサーバ１０内に保有する施設情報を充実させることが可能となる。
【符号の説明】
【００５３】
１０  サーバ
１１  記憶部
１４  リスト生成部
１５  画像判定部
２０、３０  情報端末
２６、５４  画像データ生成部
２７Ａ、５５Ａ  ディスプレイ（表示部）
【図１】
2018018299.tif 000003
【図２】
2018018299.tif 000004
【図３】
2018018299.tif 000005
【図４】
2018018299.tif 000006
【図５】
2018018299.tif 000007
【図６】
2018018299.tif 000008